【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
（ａ）高圧ラジカル重合法によって得られたコポリマーであって、オレフィンと約３重量％〜約１５重量％の官能性コモノマーのコポリマーを含むコポリマーおよび
（ｂ）前記コポリマーと同じでないことを条件とする高分子ベース樹脂
を含む高分子接着剤組成物であって、約５〜約５０重量％の成分（ａ）および約５０〜約９５重量％の成分（ｂ）を含む高分子接着剤組成物。
【請求項２】
前記官能性コモノマーは、無水マレイン酸、マレイン酸、マレイン酸塩、マレイン酸ジエステル、マレイン酸モノエステル、イタコン酸、フマル酸、フマル酸モノエステルまたはそれらの混合物からなる群から選択されたモノマーである、請求項１に記載の組成物。
【請求項３】
前記官能性コモノマーは、無水マレイン酸、マレイン酸ジエステルおよびマレイン酸モノエステルまたはそれらの混合物からなる群から選択される、請求項２に記載の組成物。
【請求項４】
前記官能性コモノマーは無水マレイン酸である、請求項３に記載の組成物。
【請求項５】
前記官能性コモノマーはマレイン酸モノエステルである、請求項３に記載の組成物。
【請求項６】
前記官能性コポリマーはＥ／Ｘ／Ｙターポリマーであって、Ｅがエチレンであり、Ｘが酢酸ビニル、（メタ）アクリル酸、（メタ）アクリル酸塩、（メタ）アクリル酸エステル、（メタ）アクリル酸とカルボン酸の混合無水物からなる群から選択され、Ｙが無水マレイン酸、マレイン酸ジエステルおよびマレイン酸モノエステルからなる群から選択されるＥ／Ｘ／Ｙターポリマーである、請求項１に記載の組成物。
【請求項７】
Ｘはメチルアクリレートまたはブチルアクリレートである、請求項６に記載の組成物。
【請求項８】
Ｙは無水マレイン酸、マレイン酸ジエステル、マレイン酸モノエステルからなる群から選択される、請求項６に記載の組成物。
【請求項９】
前記官能性コモノマーは無水マレイン酸である、請求項８に記載の組成物。
【請求項１０】
前記官能性コモノマーはマレイン酸モノエステルである、請求項８に記載の組成物。
【請求項１１】
前記高分子ベース樹脂は、ポリオレフィンおよびエチレンと極性モノマーの共重合から得られたエチレンコポリマーからなる群の中のポリマーから選択された少なくとも１種のポリマーを含む、請求項１に記載の組成物。
【請求項１２】
前記高分子ベース樹脂は、高密度ポリエチレン、低密度ポリエチレン、線状低密度ポリエチレン、超高分子量ポリエチレン、超低密度ポリエチレン、メタロセン触媒を用いるエチレンとアルファオレフィンモノマーのコポリマー（メタロセンポリエチレン）、エチレン／プロピレンコポリマー、エチレン／プロピレン／ジエンモノマーなどのターポリマーならびにポリプロピレンホモポリマーおよびコポリマーからなる群の中のポリマーから選択された少なくとも１種のポリオレフィンポリマーを含む、請求項１１に記載の組成物。
【請求項１３】
前記高分子ベース樹脂は、エチレンと極性モノマーの共重合から得られた少なくとも１種のエチレンコポリマーを含み、前記コポリマーは、エチレン／酢酸ビニルコポリマー、エチレン／アクリレートコポリマーおよびエチレン／アクリレート／一酸化炭素ターポリマーからなる群から選択される、請求項１１に記載の組成物。
【請求項１４】
（ａ）高圧ラジカル重合法によって得られたコポリマーであって、オレフィンと約３重量％〜約１５重量％の官能性コモノマーのコポリマーを含むコポリマーおよび
（ｂ）前記コポリマーと同じでないことを条件とする高分子ベース樹脂
を含む接着剤フィルムであって、接着剤組成物が約５〜約５０重量％の成分（ａ）および約５０〜約９５重量％の成分（ｂ）を含む接着剤フィルム。
【請求項１５】
接着剤組成物を含む接着剤層を有する多層複合構造体であって、前記接着剤組成物が
（ａ）高圧ラジカル重合法によって得られたコポリマーであって、オレフィンと約３重量％〜約１５重量％の官能性コモノマーのコポリマーを含むコポリマーおよび
（ｂ）前記コポリマーと同じでないことを条件とする高分子ベース樹脂
を含み、前記接着剤組成物が約５〜約５０重量％の成分（ａ）および約５０〜約９５重量％の成分（ｂ）を含む多層複合構造体。
【請求項１６】
接着剤組成物を含むパイプ塗料であって、前記接着剤組成物が
（ａ）高圧ラジカル重合法によって得られたコポリマーであって、オレフィンと約３重量％〜約１５重量％の官能性コモノマーのコポリマーを含むコポリマーおよび
（ｂ）前記コポリマーと同じでないことを条件とする高分子ベース樹脂
を含み、前記接着剤組成物が約５〜約５０重量％の成分（ａ）および約５０〜約９５重量％の成分（ｂ）を含むパイプ塗料。
【請求項１７】
前記官能性コモノマーは、無水マレイン酸、マレイン酸、マレイン酸塩、マレイン酸ジエステル、マレイン酸モノエステル、イタコン酸、フマル酸、フマル酸モノエステルまたはそれらの混合物からなる群から選択される、請求項１６に記載のパイプ塗料。
【請求項１８】
前記官能性コモノマーは、無水マレイン酸、マレイン酸ジエステルおよびマレイン酸モノエステルまたはそれらの混合物からなる群から選択される、請求項１７に記載のパイプ塗料。
【請求項１９】
前記官能性コモノマーは無水マレイン酸である、請求項１８に記載のパイプ塗料。
【請求項２０】
前記官能性コモノマーはマレイン酸モノエステルである、請求項１９に記載のパイプ塗料。
【請求項２１】
前記高分子ベース樹脂は、エチレンと極性モノマーの共重合から得られた少なくとも１種のエチレンコポリマーを含み、前記コポリマーは、エチレン／酢酸ビニルコポリマー、エチレン／アクリレートコポリマーおよびエチレン／アクリレート／一酸化炭素ターポリマーからなる群から選択される、請求項１６に記載のパイプ塗料。
【請求項２２】
接着剤組成物を含む物品であって、前記接着剤組成物が
（ａ）高圧ラジカル重合法によって得られたコポリマーであって、オレフィンと約３重量％〜約１５重量％の官能性コモノマーのコポリマーを含むコポリマーおよび
（ｂ）前記コポリマーと同じでないことを条件とする高分子ベース樹脂
を含み、前記接着剤組成物が約５〜約５０重量％の成分（ａ）および約５０〜約９５重量％の成分（ｂ）を含む物品。
【請求項２３】
前記物品はペレットまたは建物パネルである、請求項２２に記載の物品。
【請求項２４】
前記官能性コモノマーは、無水マレイン酸、マレイン酸ジエステルおよびマレイン酸モノエステルまたはそれらの混合物からなる群から選択される、請求項２３に記載の物品。
【請求項２５】
前記官能性コモノマーは無水マレイン酸である、請求項２４に記載の物品。
【手続補正２】
【補正対象書類名】明細書
【補正対象項目名】００９７
【補正方法】変更
【補正の内容】
【００９７】
特定の詳細度で本発明をこうして記載し例示してきたが、以下の特許請求の範囲がそれほど限定されるべきでなく、特許請求の範囲およびその均等物の各要素の表現に相応した範囲を与えられるべきであることは認められるべきである。
次に、本発明の好ましい態様を示す。
1.  （ａ）オレフィンと約３重量％〜約１５重量％の官能性コモノマーのコポリマーおよび
（ｂ）高分子ベース樹脂
を含む高分子接着剤組成物であって、約５〜約５０重量％の成分（ａ）および約５０〜約９５重量％の成分（ｂ）を含む高分子接着剤組成物。
2.  前記官能性コモノマーは、無水マレイン酸、マレイン酸、マレイン酸塩、マレイン酸ジエステル、マレイン酸モノエステル、イタコン酸、フマル酸、フマル酸モノエステルまたはそれらの混合物からなる群から選択されたモノマーである、上記１に記載の組成物。
3.  前記官能性コモノマーは、無水マレイン酸、マレイン酸ジエステルおよびマレイン酸モノエステルまたはそれらの混合物からなる群から選択される、上記２に記載の組成物。
4.  前記官能性コモノマーは無水マレイン酸である、上記３に記載の組成物。
5.  前記官能性コモノマーはマレイン酸モノエステルである、上記３に記載の組成物。
6.  前記官能性コポリマーはＥ／Ｘ／Ｙターポリマーであって、Ｅがエチレンであり、Ｘが酢酸ビニル、（メタ）アクリル酸、（メタ）アクリル酸塩、（メタ）アクリル酸エステル、（メタ）アクリル酸とカルボン酸の混合無水物からなる群から選択され、Ｙが無水マレイン酸、マレイン酸ジエステルおよびマレイン酸モノエステルからなる群から選択されるＥ／Ｘ／Ｙターポリマーである、上記１に記載の組成物。
7.  Ｘはメチルアクリレートまたはブチルアクリレートである、上記６に記載の組成物。
8.  Ｙは無水マレイン酸、マレイン酸ジエステル、マレイン酸モノエステルからなる群から選択される、上記６に記載の組成物。
9.  前記官能性コモノマーは無水マレイン酸である、上記８に記載の組成物。
10.  前記官能性コモノマーはマレイン酸モノエステルである、上記８に記載の組成物。
11.  前記高分子ベース樹脂は、ポリオレフィンおよびエチレンと極性モノマーの共重合から得られたエチレンコポリマーからなる群の中のポリマーから選択された少なくとも１種のポリマーを含む、上記１に記載の組成物。
12.  前記高分子ベース樹脂は、高密度ポリエチレン、低密度ポリエチレン、線状低密度ポリエチレン、超高分子量ポリエチレン、超低密度ポリエチレン、メタロセン触媒を用いるエチレンとアルファオレフィンモノマーのコポリマー（メタロセンポリエチレン）、エチレン／プロピレンコポリマー、エチレン／プロピレン／ジエンモノマーなどのターポリマーならびにポリプロピレンホモポリマーおよびコポリマーからなる群の中のポリマーから選択された少なくとも１種のポリオレフィンポリマーを含む、上記１１に記載の組成物。
13.  前記高分子ベース樹脂は、エチレンと極性モノマーの共重合から得られた少なくとも１種のエチレンコポリマーを含み、前記コポリマーは、エチレン／酢酸ビニルコポリマー、エチレン／アクリレートコポリマーおよびエチレン／アクリレート／一酸化炭素ターポリマーからなる群から選択される、上記１１に記載の組成物。
14.  前記ベース樹脂は、ポリ塩化ビニル、塩素化ポリ塩化ビニルおよびポリスチレンからなる群から選択された少なくとも１種の追加のポリマーを更に含む、上記１に記載の組成物。
15.  前記少なくとも１種の追加のポリマーは耐衝撃性ポリスチレンである、上記１４に記載の組成物。
16.  （ａ）オレフィンと約３重量％〜約１５重量％の官能性コモノマーのコポリマーおよび
（ｂ）高分子ベース樹脂
を含む接着剤フィルムであって、接着剤組成物が約５〜約５０重量％の成分（ａ）および約５０〜約９５重量％の成分（ｂ）を含む接着剤フィルム。
17.  （ａ）オレフィンと約３重量％〜約１５重量％の官能性コモノマーのコポリマーおよび
（ｂ）高分子ベース樹脂
を含む多層複合構造体であって、接着剤組成物が約５〜約５０重量％の成分（ａ）および約５０〜約９５重量％の成分（ｂ）を含む多層複合構造体。
18.  前記複合構造体は多層フィルムまたは多層シートである、上記１７に記載の多層複合構造体。
19.  前記複合構造体は包装フィルムである、上記１８に記載の多層複合構造体。
20.  前記構造体は少なくとも２層の接着剤層を含む、上記１９に記載の多層構造体。
21.  前記構造体は少なくとも３層の接着剤層を含む、上記２０に記載の多層構造体。
22.  前記官能性コモノマーは、無水マレイン酸、マレイン酸、マレイン酸塩、マレイン酸ジエステル、マレイン酸モノエステル、イタコン酸、フマル酸、フマル酸モノエステルまたはそれらの混合物からなる群から選択される、上記２１に記載の物品。
23.  （ａ）オレフィンと約３重量％〜約１５重量％の官能性コモノマーのコポリマーおよび
（ｂ）高分子ベース樹脂
を含むパイプ塗料であって、接着剤組成物が約５〜約５０重量％の成分（ａ）および約５０〜９５重量％の成分（ｂ）を含むパイプ塗料。
24.  前記官能性コモノマーは、無水マレイン酸、マレイン酸、マレイン酸塩、マレイン酸ジエステル、マレイン酸モノエステル、イタコン酸、フマル酸、フマル酸モノエステルまたはそれらの混合物からなる群から選択される、上記２３に記載のパイプ塗料。
25.  前記官能性コモノマーは、無水マレイン酸、マレイン酸ジエステルおよびマレイン酸モノエステルまたはそれらの混合物からなる群から選択される、上記２４に記載のパイプ塗料。
26.  前記官能性コモノマーは無水マレイン酸である、上記２５に記載のパイプ塗料。
27.  前記官能性コモノマーはマレイン酸モノエステルである、上記２６に記載のパイプ塗料。
28.  前記高分子ベース樹脂は、エチレンと極性モノマーの共重合から得られた少なくとも１種のエチレンコポリマーを含み、前記コポリマーは、エチレン／酢酸ビニルコポリマー、エチレン／アクリレートコポリマーおよびエチレン／アクリレート／一酸化炭素ターポリマーからなる群から選択される、上記２３に記載のパイプ塗料。
29.  （ａ）オレフィンと約３重量％〜約１５重量％の官能性コモノマーのコポリマーおよび
（ｂ）高分子ベース樹脂
を含む物品であって、接着剤組成物が約５〜約５０重量％の成分（ａ）および約５０〜約９５重量％の成分（ｂ）を含む物品。
30.  前記物品はペレットまたは建物パネルである、上記２９に記載の物品。
31.  前記官能性コモノマーは、無水マレイン酸、マレイン酸ジエステルおよびマレイン酸モノエステルまたはそれらの混合物からなる群から選択される、上記３０に記載の物品。
32.  前記官能性コモノマーは無水マレイン酸である、上記３１に記載の物品。
33.  前記官能性コモノマーはマレイン酸モノエステルである、上記３２に記載の物品。
34.  前記高分子ベース樹脂は、エチレンと極性モノマーの共重合から得られた少なくとも１種のエチレンコポリマーを含み、前記コポリマーは、エチレン／酢酸ビニルコポリマー、エチレン／アクリレートコポリマーおよびエチレン／アクリレート／一酸化炭素ターポリマーからなる群から選択される、上記２９に記載の物品。